(57)【要約】【課題】各種の端末において、表示される画面の大きさの変化を小さくすること。【解決手段】プログラムは、情報処理装置に、表示装置の画素ピッチを取得する処理と、前記取得する処理により取得された画素ピッチと、基準となる画素ピッチとの比、及び表示対象の画面の種別に基づいて、前記表示対象の画面の拡大率または縮小率を決定する処理と、を実行させる。【選択図】図５
2018165929.tif 000002
【特許請求の範囲】
【請求項１】
情報処理装置に、
表示装置の画素ピッチを取得する処理と、
前記取得する処理により取得された画素ピッチと、基準となる画素ピッチとの比、及び表示対象の画面の種別に基づいて、前記表示対象の画面の拡大率または縮小率を決定する処理と、
を実行させるプログラム。
【請求項２】
前記決定する処理は、前記取得する処理により取得された画素ピッチが、前記基準となる画素ピッチよりも小さい場合、前記表示対象の画面を拡大させる、
請求項１に記載のプログラム。
【請求項３】
前記表示対象の画面の種別は、前記表示対象の画面が、文章用の表示プログラム、一覧用の表示プログラム、及び画像用の表示プログラムの少なくとも一つにより表示されるか否かに基づいて判定される、
請求項１または２に記載のプログラム。
【請求項４】
前記決定する処理は、さらに、前記表示対象の画面に含まれるボタンに対するユーザの使用頻度、及び前記ボタンにより表示される内容のうち少なくとも一方に基づいて、前記ボタンの拡大率または縮小率を決定する、
請求項１乃至３のいずれか一項に記載のプログラム。
【請求項５】
前記決定する処理は、さらに、ユーザの年齢、及び前記ユーザの職制のうち少なくとも一方に基づいて、前記表示対象の画面の拡大率または縮小率を決定する、
請求項１乃至４のいずれか一項に記載のプログラム。
【請求項６】
前記決定する処理は、さらに、前記表示対象の画面に含まれる画像を、前記表示対象の画面の拡大率または縮小率を決定する対象から除外する、
請求項１乃至５のいずれか一項に記載のプログラム。
【請求項７】
前記表示対象の画面は、電子カルテの画面である、
請求項１乃至６のいずれか一項に記載のプログラム。
【請求項８】
表示装置の画素ピッチを取得する取得部と、
前記取得する処理により取得された画素ピッチと、基準となる画素ピッチとの比、及び表示対象の画面の種別に基づいて、前記表示対象の画面の拡大率または縮小率を決定する決定部と、
を有する情報処理装置。
【請求項９】
情報処理装置が、
表示装置の画素ピッチを取得する処理と、
前記取得する処理により取得された画素ピッチと、基準となる画素ピッチとの比、及び表示対象の画面の種別に基づいて、前記表示対象の画面の拡大率または縮小率を決定する処理と、
を実行する情報処理方法。
【発明の詳細な説明】
【技術分野】
【０００１】
本発明は、プログラム、情報処理装置、及び情報処理方法に関する。
【背景技術】
【０００２】
従来、端末からサーバにアクセスし、電子カルテ等の画面を参照できる技術が知られている（例えば、特許文献１乃至３を参照）。
【０００３】
また、例えば、医療現場において、医事課、診察室、読影室、病棟等の様々な場所で、電子カルテを参照したいという要求があるため、院内の様々な場所に、電子カルテを参照できる端末が設置されている。
【先行技術文献】
【特許文献】
【０００４】
【特許文献１】特開２０００−１９４７８５号公報
【特許文献２】特開２０１５−０６０５５９号公報
【特許文献３】特開２０１６−０５７８７７号公報
【発明の概要】
【発明が解決しようとする課題】
【０００５】
しかしながら、従来、電子カルテ等の画面を表示させるプログラムにおいて、表示画面内の各オブジェクト等はピクセル単位で設計されている。そのため、院内等に設置されている各端末のディスプレイの大きさ（ｍｍ）や解像度（ピクセル数）によっては、当該画面が小さく表示されるという問題がある。
【０００６】
そこで、各種の端末において、表示される画面の大きさの変化を小さくすることを目的とする。
【課題を解決するための手段】
【０００７】
一つの案では、プログラムは、情報処理装置に、表示装置の画素ピッチを取得する処理と、前記取得する処理により取得された画素ピッチと、基準となる画素ピッチとの比、及び表示対象の画面の種別に基づいて、前記表示対象の画面の拡大率または縮小率を決定する処理と、を実行させる。
【発明の効果】
【０００８】
一側面によれば、各種の端末において、表示される画面の大きさの変化を小さくすることが可能となる。
【図面の簡単な説明】
【０００９】
【図１】実施形態に係る情報処理システムの構成例を示す図である。
【図２】実施形態に係るサーバ装置のハードウェア構成例を示す図である。
【図３】実施形態に係る情報処理システムの機能構成の一例を示す図である。
【図４】実施形態に係る情報処理システムの処理の一例を示すシーケンス図である。
【図５】電子カルテ内の各項目についての表示サイズを判定する処理の一例を示すフローチャートである。
【図６】画面サイズの画面特性係数データの一例を示す図である。
【図７】文字サイズの画面特性係数データの一例を示す図である。
【図８】年齢特性係数データの一例を示す図である。
【図９】ボタンサイズの画面特性係数データの一例を示す図である。
【図１０】ボタンサイズの職制特性係数データの一例を示す図である。
【図１１】ボタンサイズの使用頻度特性係数データの一例を示す図である。
【発明を実施するための形態】
【００１０】
以下、図面に基づいて本発明の実施形態を説明する。
【００１１】
＜システム構成＞
図１は、実施形態に係る情報処理システム１の構成例を示す図である。図１において、情報処理システム１は、サーバ装置１０、端末２０−１、２０−２、２０−３、・・・（以下で、それぞれを区別する必要がない場合は、単に「端末２０」と称する。）を備える。
【００１２】
サーバ装置１０と端末２０との間は、例えば、無線ＬＡＮ（Local  Area  Network）、ＬＡＮ、またはインターネット等のネットワークにより、通信可能な状態で接続されている。
【００１３】
サーバ装置１０は、サーバ用の情報処理装置（コンピュータ）であり、電子カルテ等のデータの管理を行う。なお、電子カルテには、診断書、検査結果、画像、紹介状、処方、医事会計等の、各種のデータが含まれる。
【００１４】
端末２０は、例えば、デスクトップＰＣ（Personal  Computer）、ノートＰＣ、タブレットＰＣ、スマートフォン等の情報処理装置である。端末２０には、所定のアプリケーションが予めインストールされており、当該アプリケーションを用いて、サーバ装置１０にログインし、電子カルテ等を表示させることができる。
【００１５】
＜ハードウェア構成＞
図２は、実施形態に係るサーバ装置１０のハードウェア構成例を示す図である。図２のサーバ装置１０は、それぞれバスＢで相互に接続されているドライブ装置１００、補助記憶装置１０２、メモリ装置１０３、ＣＰＵ１０４、インタフェース装置１０５、表示装置１０６、及び入力装置１０７等を有する。
【００１６】
サーバ装置１０での処理を実現する情報処理プログラムは、記録媒体１０１によって提供される。情報処理プログラムを記録した記録媒体１０１がドライブ装置１００にセットされると、情報処理プログラムが記録媒体１０１からドライブ装置１００を介して補助記憶装置１０２にインストールされる。但し、情報処理プログラムのインストールは必ずしも記録媒体１０１より行う必要はなく、ネットワークを介して他のコンピュータよりダウンロードするようにしてもよい。補助記憶装置１０２は、インストールされた情報処理プログラムを格納すると共に、必要なファイルやデータ等を格納する。  
メモリ装置１０３は、プログラムの起動指示があった場合に、補助記憶装置１０２からプログラムを読み出して格納する。ＣＰＵ１０４は、メモリ装置１０３に格納されたプログラムに従ってサーバ装置１０に係る機能を実現する。インタフェース装置１０５は、ネットワークに接続するためのインタフェースとして用いられる。表示装置１０６はプログラムによるＧＵＩ（Graphical  User  Interface）等を表示するディスプレイである。入力装置１０７は様々な操作指示の入力を受け付ける。
【００１７】
なお、記録媒体１０１の一例としては、ＣＤ−ＲＯＭ、ＤＶＤディスク、又はＵＳＢメモリ等の可搬型の記録媒体が挙げられる。また、補助記憶装置１０２の一例としては、ＨＤＤ（Hard  Disk  Drive）又はフラッシュメモリ等が挙げられる。記録媒体１０１及び補助記憶装置１０２のいずれについても、コンピュータ読み取り可能な記録媒体に相当する。
【００１８】
端末２０のハードウェア構成は、図２に示すサーバ装置１０のハードウェア構成例と同様でもよい。
【００１９】
＜機能構成＞
次に、図３を参照し、実施形態に係る情報処理システム１の機能構成について説明する。図３は、実施形態に係る情報処理システム１の機能構成の一例を示す図である。
【００２０】
≪サーバ装置≫
サーバ装置１０は、記憶部１１を有する。記憶部１１は、例えば、補助記憶装置１０２等を用いて実現される。記憶部１１は、マスタデータ１１１、ユーザデータ１１２、及び電子カルテデータ１１３等のデータを記憶する。マスタデータ１１１は、端末２０に表示される電子カルテの画面毎に、後述する画面サイズの画面特性係数データ２１１、文字サイズの画面特性係数データ２１２、年齢特性係数データ２１３、ボタンサイズの画面特性係数データ２１４、ボタンサイズの職制特性係数データ２１５、及びボタンサイズの使用頻度特性係数データ２１６等のデータを記憶する。マスタデータ１１１は、管理者等により予め設定されていてもよい。
【００２１】
ユーザデータ１１２は、ユーザＩＤに対応付けて、ログイン用のパスワード、生年月日、職制、電子カルテ画面の各ボタンの使用頻度の履歴を記憶する。職制は、ユーザの業務上の属性を示すデータであり、例えば、「医師」、「看護師」等のデータが設定される。電子カルテ画面の各ボタンの使用頻度の履歴は、端末２０にてユーザからの各ボタンを押下された際に、所定期間における押下回数が記録される。
【００２２】
電子カルテデータ１１３は、電子カルテの画面に表示される各種のデータを記憶する。
【００２３】
また、サーバ装置１０は、管理部１２、表示制御部１３、及び通信部１４を有する。これら各部は、サーバ装置１０にインストールされた１以上のプログラムが、サーバ装置１０のＣＰＵ１０４に実行させる処理により実現される。
【００２４】
管理部１２は、端末２０からのログイン要求を受け付ける。また、管理部１２は、ログイン要求に含まれるユーザＩＤ、及びパスワードと、ユーザデータ１１２に含まれるユーザＩＤ、及びパスワードとを照合し、ユーザを認証する。
【００２５】
表示制御部１３は、端末２０からの電子カルテの閲覧要求に応じて、要求された電子カルテの画面のデータと、マスタデータ１１１において当該画面に対応付けて記憶されている、電子カルテを表示するサイズに関するデータを、端末２０に送信することにより、端末２０の画面に電子カルテの画面を表示させる。
【００２６】
通信部１４は、端末２０との通信を行う。
【００２７】
≪端末≫
端末２０は、記憶部２１を有する。記憶部２１は、例えば、補助記憶装置等を用いて実現される。記憶部２１は、画面サイズの画面特性係数データ２１１、文字サイズの画面特性係数データ２１２、年齢特性係数データ２１３、ボタンサイズの画面特性係数データ２１４、ボタンサイズの職制特性係数データ２１５、及びボタンサイズの使用頻度特性係数データ２１６等のデータを記憶する。記憶部２１に記憶されるこれらのデータについては後述する。
【００２８】
また、端末２０は、受付部２２、取得部２３、表示制御部２４、及び通信部２５を有する。これら各部は、端末２０にインストールされた１以上のプログラムが、端末２０のＣＰＵに実行させる処理により実現される。
【００２９】
受付部２２は、ユーザからのログイン操作等の操作を受け付ける。
【００３０】
取得部２３は、表示装置１０６の１ピクセル当たりの大きさである画素ピッチ（ドットピッチ、ピッチ幅、画素の幅、画素の間隔）を取得する。また、取得部２３は、電子カルテの画面と、電子カルテを表示するサイズの情報をサーバ装置１０から取得する。
【００３１】
表示制御部２４は、取得部２３により取得された画素ピッチと、基準となる画素ピッチとの比、及び表示対象の電子カルテ画面の種別等に基づいて、当該画面の拡大率または縮小率を決定する。そして、表示制御部２４は、決定した拡大率または縮小率により、当該画面の全体の領域、当該画面に含まれる文字、または当該画面に含まれるボタンを、拡大または縮小して表示させる。
【００３２】
通信部２５は、サーバ装置１０との通信を行う。
【００３３】
＜処理＞
次に、図４を参照し、実施形態に係る情報処理システム１の処理について説明する。図４は、実施形態に係る情報処理システム１の処理の一例を示すシーケンス図である。
【００３４】
ステップＳ１において、端末２０の受付部２２は、ユーザからのログイン操作を受け付ける。ここで、端末２０は、例えば、ユーザＩＤやパスワードの入力を受け付ける。
【００３５】
続いて、端末２０の通信部２５は、ログイン要求を送信する（ステップＳ２）。
【００３６】
続いて、サーバ装置１０の管理部１２は、ユーザを認証し、認証結果を端末２０に送信する（ステップＳ３）。
【００３７】
続いて、端末２０の受付部２２は、ユーザからの電子カルテ閲覧操作を受け付ける（ステップＳ４）。
【００３８】
続いて、端末２０の通信部２５は、電子カルテの閲覧要求をサーバ装置１０に送信する（ステップＳ５）。
【００３９】
続いて、サーバ装置１０の表示制御部１３は、電子カルテのデータと、電子カルテを表示するサイズに関するデータを、端末２０に送信する（ステップＳ６）。ここで、サーバ装置１０は、マスタデータ１１１に格納されている、電子カルテを表示するサイズに関するデータの全てを端末２０に最初に一括して送信してもよいし、マスタデータ１１１に格納されているデータのうち、要求された電子カルテの画面に関するデータのみを送信するようにしてもよい。
【００４０】
続いて、端末２０の表示制御部２４は、受信したデータに基づき、電子カルテ内の各項目についての表示サイズを判定する（ステップＳ７）。
【００４１】
続いて、端末２０の表示制御部２４は、判定した各サイズで、電子カルテ内の各項目を、端末２０の画面に表示させる（ステップＳ８）。
【００４２】
≪表示サイズ判定処理≫
次に、図５を参照し、ステップＳ７の、電子カルテ内の各項目についての表示サイズを判定する処理について説明する。図５は、電子カルテ内の各項目についての表示サイズを判定する処理の一例を示すフローチャートである。
【００４３】
ステップＳ１０１において、端末２０の取得部２３は、端末２０の解像度（ピクセル数）を取得する。ここで、解像度は、端末２０のＯＳ（Operating  System）から取得してもよいし、予め端末２０に設定されていてもよい。
【００４４】
続いて、端末２０の取得部２３は、端末２０のディスプレイの大きさ（ｍｍ）を取得する（ステップＳ１０２）。ディスプレイの大きさは、端末２０のＯＳ（Operating  System）から取得してもよいし、予め端末２０に設定されていてもよい。ＯＳから取得する場合、ディスプレイの大きさ（ｍｍ）の代わりに、１インチ当たりのピクセル数（ｄｐｉ、dots  per  inch）を取得し、ディスプレイの大きさを算出してもよい。
【００４５】
続いて、端末２０の取得部２３は、端末２０における画素ピッチを算出する（ステップＳ１０３）。ここで、端末２０が、例えばノートＰＣであり、画面の横の幅が３４４ｍｍ、横の解像度が１９２０ピクセルの場合、３４４／１９２０≒０．１７９（ｍｍ／ピクセル）と算出される。また、端末２０が、例えばタブレットＰＣであり、画面の横の幅が２６６ｍｍ、横の解像度が２５６０ピクセルの場合、２６６／２５６０≒０．１０４（ｍｍ／ピクセル）と算出される。
【００４６】
続いて、端末２０の取得部２３は、サーバ装置１０から取得した、画素ピッチの基準となる値を、ステップＳ１０３で算出した値で除算した値を「比率」とする（ステップＳ１０４）。ここで、画素ピッチの基準となる値は、電子カルテを表示させる画面を設計した際の値であり、例えば、基準となる所定のデスクトップＰＣにおける画素ピッチの値でもよい。
【００４７】
（画面サイズの拡縮）
続いて、端末２０の表示制御部２４は、ステップＳ１０４で算出された「比率」の値に、電子カルテ画面全体のピクセル数を乗算した値を、電子カルテ画面全体のピクセル数とすることにより、電子カルテ画面全体のピクセル数を拡大乃至縮小（拡縮）する（ステップＳ１０５）。これにより、端末２０における電子カルテ画面全体の大きさ（ｍｍ）は、例えば、基準となる所定のデスクトップＰＣにおける電子カルテ画面全体の大きさ（ｍｍ）と同様になる。ここで、端末２０における画素ピッチが、基準となる画素ピッチよりも小さい場合、電子カルテ画面は、拡大して表示されることになる。
【００４８】
続いて、端末２０の表示制御部２４は、ステップＳ１０５で算出した電子カルテ画面全体のピクセル数を、図６に示す画面サイズの画面特性係数データ２１１に基づいて、拡大乃至縮小する（ステップＳ１０６）。ここで、端末２０の表示制御部２４は、ステップＳ１０５で算出した電子カルテ画面全体のピクセル数に、画面サイズの画面特性係数データ２１１に含まれる、表示対象の電子カルテ画面の画面特性に応じた画面サイズの画面特性係数を乗算した値を、電子カルテ画面全体のピクセル数とする。
【００４９】
図６は、画面サイズの画面特性係数データ２１１の一例を示す図である。画面サイズの画面特性係数データ２１１には、画面特性と、画面サイズの画面特性係数とが対応付けて記憶される。画面特性は、電子カルテ画面で表示される画面の種別であり、例えば、「文章系」、「一覧系」、「画像系」等が含まれる。画面特性は、例えば、電子カルテ画面を表示するために起動されるビューア（「表示プログラム」の一例。）の種別に基づいて判定してもよい。この場合、一の電子カルテ画面が、文章用のビューア、一覧用のビューア、及び画像用のビューアのいずれにより表示されるかに基づいて、当該一の電子カルテ画面の種別が判定されてもよい。
【００５０】
「文章系」は、例えば、紹介状等の書状、入退院を記録する入退院サマリ、看護日誌、アレルギー情報等の、文章オブジェクトを主として表示する画面であり、ユーザが文章等を読むことを主目的とする画面である。
【００５１】
「一覧系」は、例えば、予約スケジュール、オーダ指示歴、薬歴、病棟マップ、バイタル経過表、カレンダー、一覧表、グラフ等、ユーザが全体を俯瞰してデータを確認する（視る）ことを主目的とする画面である。
【００５２】
「画像系」は、医師が身体のイラスト上に診断内容を手書きで記入したシェーマ（絵図）、放射線画像、内視鏡画像等の画像であり、ＣＴやＭＲＩ等の撮影装置を使用して取得した画像データ等を参照することを主目的とした画面である。
【００５３】
また、画面サイズの画面特性係数は、画面特性に応じた画面サイズの係数（倍率）である。
【００５４】
続いて、端末２０の表示制御部２４は、表示対象の電子カルテ画面の画面特性が、「画像系」であるか否かを判定する（ステップＳ１０７）。
【００５５】
画面特性が「画像系」である場合（ステップＳ１０７でＹＥＳ）、後述するステップＳ１０９の処理に進む。これにより、「画像系」の画面に含まれる画像オブジェクトについては、元のピクセル数（原寸）のまま表示される。そのため、画像データの拡大または縮小により画像中に影のようなものが表示され、医師による診断に影響を与えることを防止できる。
【００５６】
（オブジェクトサイズの拡縮）
画面特性が「画像系」でない場合（ステップＳ１０７でＮＯ）、表示対象の電子カルテ画面に含まれる、文字及びボタン以外の各オブジェクト（例えば、画像等）を、ステップＳ１０４で算出した「比率」の値と、図６に示す画面サイズの画面特性係数データ２１１とに基づいて、拡大乃至縮小する（ステップＳ１０８）。ここで、端末２０の表示制御部２４は、ステップＳ１０４で算出した「比率」の値に、当該各オブジェクトのピクセル数を乗算し、かつ、画面サイズの画面特性係数データ２１１に含まれる、表示対象の電子カルテ画面の画面特性に応じた画面特性係数を乗算した値を、当該各オブジェクトのピクセル数とする。
【００５７】
（文字サイズの拡縮）
続いて、端末２０の表示制御部２４は、表示対象の電子カルテ画面に含まれる各文字を、ステップＳ１０４で算出した「比率」の値と、図７に示す文字サイズの画面特性係数データ２１２とに基づいて、拡大乃至縮小する（ステップＳ１０９）。ここで、端末２０の表示制御部２４は、ステップＳ１０４で算出した「比率」の値に、当該各文字のピクセル数を乗算し、かつ、文字サイズの画面特性係数データ２１２に含まれる、表示対象の電子カルテ画面の画面特性に応じた文字サイズの画面特性係数を乗算した値を、当該各文字のピクセル数とする。
【００５８】
図７は、文字サイズの画面特性係数データ２１２の一例を示す図である。文字サイズの画面特性係数データ２１２には、画面特性と、文字サイズの画面特性係数とが対応付けて記憶される。文字サイズの画面特性係数は、画面特性に応じた文字サイズの係数（倍率）である。
【００５９】
続いて、端末２０の表示制御部２４は、表示対象の電子カルテ画面に含まれる各文字を、図８に示す年齢特性係数データ２１３に基づいて、拡大乃至縮小する（ステップＳ１１０）。ここで、端末２０の表示制御部２４は、ステップＳ１０９で算出した各文字のピクセル数に、年齢特性係数を乗算した値を、当該各文字のピクセル数とする。
【００６０】
図８は、年齢特性係数データ２１３の一例を示す図である。年齢特性係数データ２１３には、端末２０のログインユーザの年齢に関する条件と、年齢特性係数とが対応付けて記憶されている。図８の例では、ユーザの年齢が３５歳以下であれば１．０倍（拡大乃至縮小なし）、ユーザの年齢が３５歳より上であれば１．２５倍に拡大される。
【００６１】
（ボタンサイズの拡縮）
続いて、端末２０の表示制御部２４は、表示対象の電子カルテ画面に含まれる各ボタンを、ステップＳ１０４で算出した「比率」の値と、図９に示すボタンサイズの画面特性係数データ２１４に基づいて、拡大乃至縮小する（ステップＳ１１１）。ここで、端末２０の表示制御部２４は、ステップＳ１０４で算出した「比率」の値に、当該各ボタンのピクセル数を乗算し、かつ、ボタンサイズの画面特性係数データ２１４に含まれる、表示対象の電子カルテ画面の画面特性に応じたボタンサイズの画面特性係数を乗算した値を、当該各ボタンのピクセル数とする。
【００６２】
図９は、ボタンサイズの画面特性係数データ２１４の一例を示す図である。ボタンサイズの画面特性係数データ２１４には、画面特性と、ボタンサイズの画面特性係数とが対応付けて記憶される。ボタンサイズの画面特性係数は、画面特性に応じたボタンサイズの係数（倍率）である。
【００６３】
続いて、端末２０の表示制御部２４は、表示対象の電子カルテ画面に含まれる各ボタンを、図１０に示すボタンサイズの職制特性係数データ２１５に基づいて、拡大乃至縮小する（ステップＳ１１２）。ここで、端末２０は、ステップＳ１１１で算出した値に、ボタンサイズの職制特性係数データ２１５に含まれる、端末２０のログインユーザの職制に応じたボタンサイズの職制特性係数を乗算した値を、当該各ボタンのピクセル数とする。
【００６４】
図１０は、ボタンサイズの職制特性係数データ２１５の一例を示す図である。ボタンサイズの職制特性係数データ２１５には、電子カルテ画面に含まれる各ボタンの内容、及び職制に対応付けて、ボタンサイズの職制特性係数が記憶される。ボタンサイズの職制特性係数は、電子カルテ画面の内容、及び職制に応じたボタンサイズの係数（倍率）である。
【００６５】
図１０の例では、医師、看護師ともに同程度使用する、患者プロファイル、病名等を表示させるボタンは、１．０倍（拡大乃至縮小なし）で表示される。また、医師は比較的高い頻度で使用し、看護師は比較的低い頻度で使用する、紹介状等を表示させるボタンは、端末２０のログインユーザが医師である場合は１．２５倍に拡大され、ログインユーザが看護師である場合は０．７倍に縮小される。
【００６６】
続いて、端末２０の表示制御部２４は、表示対象の電子カルテ画面に含まれる各ボタンを、図８に示す年齢特性係数データ２１３に基づいて、拡大乃至縮小する（ステップＳ１１３）。ここで、端末２０の表示制御部２４は、ステップＳ１１２で算出した各ボタンのピクセル数に、年齢特性係数を乗算した値を、当該各ボタンのピクセル数とする。
【００６７】
続いて、端末２０の表示制御部２４は、表示対象の電子カルテ画面に含まれる各ボタンを、図１１に示すボタンサイズの使用頻度特性係数データ２１６に基づいて、拡大乃至縮小する（ステップＳ１１４）。ここで、端末２０の表示制御部２４は、ステップＳ１１３で算出した値に、ボタンサイズの使用頻度特性係数データ２１６に含まれる、端末２０のログインユーザの使用頻度に応じたボタンサイズの使用頻度特性係数を乗算した値を、当該各ボタンのピクセル数とする。
【００６８】
図１１は、ボタンサイズの使用頻度特性係数データ２１６の一例を示す図である。ボタンサイズの使用頻度特性係数データ２１６には、使用頻度の条件に対応付けて、ボタンサイズの使用頻度特性係数が記憶される。ボタンサイズの使用頻度特性係数は、電子カルテ画面の各ボタンに対する各ユーザの使用頻度に応じたボタンサイズの係数（倍率）である。図１１の例では、使用頻度が０回であれば０．７倍に縮小され、使用頻度が１回乃至９９回であれば１．０倍（拡大乃至縮小なし）、使用頻度が１００回以上であれば１．２５倍に拡大される。
【００６９】
＜まとめ＞
従来の電子カルテ等の画面は、例えば、所定の機種のデスクトップＰＣに合わせて設計されている。そのため、ディスプレイの解像度（ピクセル数）が比較的高く、１ピクセル当たりの大きさが比較的小さいノートＰＣやタブレットＰＣでは、表示される画面の大きさ（ｍｍ）が小さくなり、ユーザにとって見づらくなるという問題がある。
【００７０】
上述した実施形態によれば、電子カルテ等の画面を、表示装置における画素ピッチと、基準となる画素ピッチとの比、及び画面の種別に基づいて、拡大または縮小して表示させる。これにより、各種の端末において、画面に表示される電子カルテ等をより見易くさせることができる。
【００７１】
なお、上述した実施形態は、電子カルテに限定されず、電子カルテ以外の任意の画面を表示させるシステム等に適用可能である。
【００７２】
以上、本発明の実施例について詳述したが、本発明は斯かる特定の実施形態に限定されるものではなく、特許請求の範囲に記載された本発明の要旨の範囲内において、種々の変形・変更が可能である。
【００７３】
例えば、サーバ装置１０、及び端末２０の各機能部は、例えば１以上のコンピュータにより構成されるクラウドコンピューティングにより実現されていてもよい。また、サーバ装置１０の各機能のうちの少なくとも一部を、端末２０にて有する構成としてもよい。あるいは、端末２０の表示制御部２４等の各機能のうちの少なくとも一部を、サーバ装置１０にて有する構成としてもよい。
【００７４】
なお、表示制御部１３、または表示制御部２４は、「決定部」の一例である。
【００７５】
以上の説明に関し、更に以下の項を開示する。
（付記１）
情報処理装置に、
表示装置の画素ピッチを取得する処理と、
前記取得する処理により取得された画素ピッチと、基準となる画素ピッチとの比、及び表示対象の画面の種別に基づいて、前記表示対象の画面の拡大率または縮小率を決定する処理と、
を実行させるプログラム。
（付記２）
前記決定する処理は、前記取得する処理により取得された画素ピッチが、前記基準となる画素ピッチよりも小さい場合、前記表示対象の画面を、拡大して表示させる、
付記１に記載のプログラム。
（付記３）
前記表示対象の画面の種別は、前記表示対象の画面が、文章用の表示プログラム、一覧用の表示プログラム、及び画像用の表示プログラムの少なくとも一つにより表示されるか否かに基づいて判定される、
付記１または２に記載のプログラム。
（付記４）
前記決定する処理は、さらに、前記表示対象の画面に含まれるボタンに対するユーザの使用頻度、及び前記ボタンにより表示される内容のうち少なくとも一方に基づいて、前記ボタンの拡大率または縮小率を決定する、
付記１乃至３のいずれか一項に記載のプログラム。
（付記５）
前記決定する処理は、さらに、ユーザの年齢、及び前記ユーザの職制のうち少なくとも一方に基づいて、前記表示対象の画面の拡大率または縮小率を決定する、
付記１乃至４のいずれか一項に記載のプログラム。
（付記６）
前記決定する処理は、さらに、前記表示対象の画面に含まれる画像を、前記表示対象の画面の拡大率または縮小率を決定する対象から除外する、
付記１乃至５のいずれか一項に記載のプログラム。
（付記７）
前記表示対象の画面は、電子カルテの画面である、
付記１乃至６のいずれか一項に記載のプログラム。
（付記８）
表示装置の画素ピッチを取得する取得部と、
前記取得する処理により取得された画素ピッチと、基準となる画素ピッチとの比、及び表示対象の画面の種別に基づいて、前記表示対象の画面の拡大率または縮小率を決定する決定部と、
を有する情報処理装置。
（付記９）
情報処理装置が、
表示装置の画素ピッチを取得する処理と、
前記取得する処理により取得された画素ピッチと、基準となる画素ピッチとの比、及び表示対象の画面の種別に基づいて、前記表示対象の画面の拡大率または縮小率を決定する処理と、
を実行する情報処理方法。
【符号の説明】
【００７６】
１  情報処理システム
１０  サーバ装置
１１  記憶部
１１１  マスタデータ
１１２  ユーザデータ
１１３  電子カルテデータ
１２  管理部
１３  表示制御部
１４  通信部
２０  端末
２１  記憶部
２１１  画面サイズの画面特性係数データ
２１２  文字サイズの画面特性係数データ
２１３  年齢特性係数データ
２１４  ボタンサイズの画面特性係数データ
２１５  ボタンサイズの職制特性係数データ
２１６  ボタンサイズの使用頻度特性係数データ
２２  受付部
２３  取得部
２４  表示制御部
２５  通信部
【図１】
2018165929.tif 000003
【図２】
2018165929.tif 000004
【図３】
2018165929.tif 000005
【図４】
2018165929.tif 000006
【図５】
2018165929.tif 000007
【図６】
2018165929.tif 000008
【図７】
2018165929.tif 000009
【図８】
2018165929.tif 000010
【図９】
2018165929.tif 000011
【図１０】
2018165929.tif 000012
【図１１】
2018165929.tif 000013